(57)【要約】【課題】付着性が増加した微細紛体の篩分け・分級を、より効率的効果的な形で実行可能なシステムを提供し、高精度・高純度な微細粉体取得を、可能とする、固定型双方向篩過分級装置、および、多量の粉体の分級処理を可能とする、マルチユニット型双方向篩過分級装置を、提供する。【解決手段】分級用スクリーンセットを挟み込む形で、粗粉チャンバー、微粉側チャンバーを、設置固定し、強力振動発生装置、スプレーノズルの活用による、スクリーンへの目詰まり減少、継続・循環的な、紛体・溶媒の、供給、分級、回収、洗浄、排出のプロセスの確立による、効率・効果的、かつ最適な分級操作を可能とする。【選択図】図３
2015211950.tif 000002
【特許請求の範囲】
【請求項１】
分級スクリーンを篩過できない粗粉体が、一時的に蓄積・保留される、粗粉側チャンバーと、
分級スクリーンを篩過した微粉体が、一時的に蓄積・保留される、微粉側チャンバーと、
その中間に、金属あるいは樹脂枠で、所定の目開きの分級スクリーンを、垂直あるいは所定の傾斜角で保持した、分級スクリーンセットを、チャンバー連結継手で、水平・直列に固定連結し、
微粉側チャンバー内に挿入された、振動発振子を有する、振動発生器と、
分級処理後の微粉・混濁液・洗浄液用、外部微粉回収容器に接続された、微粉側回収弁を有する、微粉側回収管、ないし微粉・混濁液・洗浄液用、外部微粉回収容器接続用の、微粉側回収口と、
外部の洗浄・排出用液体ないし気体供給源に接続され、微粉側洗浄弁を有する、微粉側洗浄管を、
微粉側チャンバー壁面に装着し、
外部原料（粉体・溶媒）源に接続され、粗粉側供給弁を有する、粗粉側供給管と、
分級処理後の粗粉・混濁液・洗浄液用、外部粗粉回収容器に接続された、粗粉側回収弁を有する、粗粉側回収管、ないし粗粉・混濁液・洗浄液用、外部粗粉回収容器接続用の、粗粉側回収口と、
外部の洗浄・排出用液体ないし気体供給源に接続され、粗粉側洗浄弁を有する、粗粉側洗浄管を、
粗粉側チャンバー壁面に装着した、
装置自体の振動、搖動、回転、面内旋回運動等を伴わない、固定型双方向篩過分級装置。
【請求項２】
前記の粗粉側供給管の先端に、スプレーノズルを、装着した固定型双方向篩過分級装置。
【請求項３】
前記の粗粉側チャンバー壁面に装着される、粗粉側供給管、粗粉側洗浄管に、二重管構造を採用し、
内環側を、粗粉側内環供給管とし、
外環側を、粗粉側外環洗浄管とし、
微粉側チャンバー壁面に装着される、微粉側洗浄管に、二重管構造を採用し、
内部中心に、振動発振子を設置し、
内環側を、微粉側内環供給管とし、
外環側を、微粉側外環洗浄管とした
二重管型双方向篩過分級ユニット。
【請求項４】
粗粉側供給槽弁を有し、粗粉側内環供給管が接続された、原料（粉体・溶媒）供給用の、粗粉側供給槽と、
粗粉側洗浄槽弁を有し、粗粉側外環洗浄管が接続された、洗浄・排出用液体ないし気体供給の、粗粉側洗浄槽と、
粗粉側回収槽弁を有し、分級処理後の粗粉・混濁液・洗浄液用、粗粉側回収口に接続連結された、粗粉側回収槽から、
構成される粗粉側ハウジングと、
微粉側供給槽弁を有し、微粉側内環供給管が接続された、原料（粉体・溶媒）供給用の、微粉側供給槽と、
微粉側洗浄槽弁を有し、微粉側外環洗浄管が接続された、洗浄・排出用液体ないし気体供給の、微粉側洗浄槽と、
微粉側回収槽弁を有し、分級処理後の微粉・混濁液・洗浄液用、微粉側回収口に接続連結された、微粉側回収槽から、
構成される粗粉側ハウジングから、
組み立てられるシングルユニット用多槽型ケーシングに、
前記の二重管型双方向篩過分級ユニット、1台を装着した、シングルユニット型双方向篩過分級装置。
【請求項５】
前記のシングルユニット用多槽型ケーシングの、粗粉側供給槽、粗粉側洗浄槽、粗粉側回収槽、微粉側供給槽、微粉側洗浄槽、微粉側回収槽を、大型化した、マルチユニット用多槽型ケーシングに、２台の二重管型双方向篩過分級ユニットを、装着したマルチユニット型双方向篩過分級装置。
【発明の詳細な説明】
【技術分野】
【０００１】
本発明は、固定型双方向篩過分級装置に関するものである。
【背景技術】
【０００２】
昨今、電子・電気機器、磁性製品、情報機器、バイオ・メディカル機器等の材料・素材として、異物混入が少なく、粒径が揃った、高純度微細金属・セラミックス・各種無機・有機粉体材料の需要が大きくなって来ており、かかる高純度微細粉体の製造過程において、高精度微細粉体用分級装置の、必要性が大きくなっている。
【０００３】
高純度粉体の篩分け・分級については、各種篩分け・分級装置のなかでも、その分級精度の観点から、分級網・スクリーンを使用した装置が、適しており、装置自体を振動、回転、面内旋回運動させる、あるいは、分級網・スクリーンを振動、搖動させ、篩分け・分級を行う「振動篩機」、粉体を気流に乗せ、通過（篩過）させる「気流式篩機」、溶媒（液体）に分散させた粉体を、エレクトロ・フォーミング（電鋳加工）により製造された、スクリーン、いわゆる電成篩（電鋳篩）により、篩過、分級をおこなう「電成篩分級装置」等が知られている。（例えば、特許文献１〜８を参照）
【０００４】
又、篩分け・分級方法として、処理対象の原料の状態により、粉体をそのまま、あるいは気流に乗せ、篩分け・分級処理を行う乾式分級と、水、有機系等の溶媒に分散させた混濁液状態で、処理を行う湿式分級に分類されている。
【０００５】
分級網・スクリーンを使用した各種粉体篩分け・分級装置により、粒径５０ミクロンメートル程度以下の微細粉体を、篩分け・分級する場合も、装置本体を振動、搖動させる、あるいは分級網・スクリーンを振動、搖動させることにより、篩分け・分級を行う「振動篩機」、粉体を気流、あるいは溶媒（液体）に分散させ、分級網・スクリーンを通過（篩過）させる「気流式篩機」、「電成篩分級装置」等が、提案されている。
【０００６】
本特許の出願人も、前述の、電子・電気機器、磁性製品、情報機器、バイオ・メディカル機器等の業界からの要請に応えるべく、先に、特開２０１３−０００６５０号で、分級装置を固定し、分級スクリーンを、垂直あるいは所定の傾斜角で組込んだ分級シリンダーに、微細粉体を含む気体、液体を、双方向から篩過させ、分級を行う双方向篩過シリンダー型微細粉体分級装置を、提案している。
【先行技術文献】
【特許文献】
【０００７】
【特許文献１】特開２００３−１４５０５１号公報（段落０００１〜０００６）
【特許文献２】特開２００８−１１０３０８号公報（段落０００５〜００１１）
【特許文献３】特開２００６−１３０４３３号公報（段落０００６〜００１１）
【特許文献４】特開２００２−１８６９０８号公報（段落０００４〜０００８）
【特許文献５】特開２００７−３０１４９０号公報（段落００１９〜００３０）
【特許文献６】特開２００９−１８３８８６号公報（段落００１５〜００２０）
【特許文献７】特開２００１−２５２５９０号公報（段落０００７〜００１０）
【特許文献８】特開２００９−１０１３５０号公報（段落０００７）
【特許文献９】特開２０１３−０００６５０号公報(段落００１３〜００２１）
【発明の概要】
【発明が解決しようとする課題】
【０００８】
先に出願の、特開２０１３−０００６５０号により、解決しようとした、（１）微細粉体の篩分け・分級を行う場合、粉体軽量化に伴い発現する問題点、すなわち、対象となる粉体が長時間気体あるいは液体中に浮遊し、自由落下が期待できず、スムーズな篩過が困難になる事、又、付着性が増加する事による、分級装置接粉部分への粉体付着、分級網・スクリーンの目詰まり、に対する予防・軽減措置、（２）分級対象の原料粉体・混濁液の連続供給、分級後の微粉体・粗粉体の回収、分級網・スクリーンへの付着・目詰まり粉体の洗浄、除去、という一連の作業プロセスの、連続・効率的分級方式・システム化の確立、（３）微細粉体篩分け・分級に際し、生産性を向上させ、大量処理を可能とする手段の確保、（４）又、個々の微細粉体の物性、形状、粒度分布といった要素、気体・溶媒の状況等により異なる、最適な篩分け・分級手法の適用、という課題に対し、本発明は、より効率的、効果的な対応を可能とする固定型双方向篩過分級装置を提供する事を、目的とするものである。
【課題を解決するための手段】
【０００９】
上記目的を達成するために、本発明は、分級スクリーンを篩過できない粗粉体が、一時的に蓄積・保留される、粗粉側チャンバーと、分級スクリーンを篩過した微粉体が、一時的に蓄積・保留される、微粉側チャンバーと、その中間に、金属あるいは樹脂枠で、所定の目開きの分級スクリーンを、垂直あるいは所定の傾斜角で保持した、分級スクリーンセットを、チャンバー連結継手で、水平・直列に固定連結し、微粉側チャンバー内に挿入された、振動発振子を有する、振動発生器と、分級処理後の微粉・混濁液・洗浄液用、外部微粉回収容器に接続された、微粉側回収弁を有する、微粉側回収管、ないし微粉・混濁液・洗浄液用、外部微粉回収容器接続用の、微粉側回収口と、外部の洗浄・排出用液体ないし気体供給源に接続され、微粉側洗浄弁を有する、微粉側洗浄管を、微粉側チャンバー壁面に装着し、外部原料（粉体・溶媒）源に接続され、粗粉側供給弁を有する、粗粉側供給管と、分級処理後の粗粉・混濁液・洗浄液用、外部粗粉回収容器に接続された、粗粉側回収弁を有する、粗粉側回収管、ないし粗粉・混濁液・洗浄液用、外部粗粉回収容器接続用の、粗粉側回収口と、外部の洗浄・排出用液体ないし気体供給源に接続され、粗粉側洗浄弁を有する、粗粉側洗浄管を、粗粉側チャンバー壁面に装着した、装置自体の振動、搖動、回転、面内旋回運動等を伴わない、固定型双方向篩過分級装置である。
【００１０】
又、前記の粗粉側供給管の先端に、スプレーノズルを、装着した固定型双方向篩過分級装置である。
【００１１】
さらに、前記の粗粉側チャンバー壁面に装着される、粗粉側供給管、粗粉側洗浄管に、二重管構造を採用し、内環側を、粗粉側内環供給管とし、外環側を、粗粉側外環洗浄管とし、微粉側チャンバー壁面に装着される、微粉側洗浄管に、二重管構造を採用し、内部中心に、振動発振子を設置し、内環側を、微粉側内環供給管とし、外環側を、微粉側外環洗浄管とした二重管型双方向篩過分級ユニットである。
【００１２】
粗粉側供給槽弁を有し、粗粉側内環供給管が接続された、原料（粉体・溶媒）供給用の、粗粉側供給槽と、粗粉側洗浄槽弁を有し、粗粉側外環洗浄管が接続された、洗浄・排出用液体ないし気体供給の、粗粉側洗浄槽と、粗粉側回収槽弁を有し、分級処理後の粗粉・混濁液・洗浄液用、粗粉側回収口に接続連結された、粗粉側回収槽から、構成される粗粉側ハウジングと、微粉側供給槽弁を有し、微粉側内環供給管が接続された、原料（粉体・溶媒）供給用の、微粉側供給槽と、微粉側洗浄槽弁を有し、微粉側外環洗浄管が接続された、洗浄・排出用液体ないし気体供給の、微粉側洗浄槽と、微粉側回収槽弁を有し、分級処理後の微粉・混濁液・洗浄液用、微粉側回収口に接続連結された、微粉側回収槽から、構成される粗粉側ハウジングから、組み立てられるシングルユニット用多槽型ケーシングに、前記の二重管型双方向篩過分級ユニット、1台を装着した、シングルユニット型双方向篩過分級装置である。
【００１３】
又、前記のシングルユニット用多槽型ケーシングの、粗粉側供給槽、粗粉側洗浄槽、粗粉側回収槽、微粉側供給槽、微粉側洗浄槽、微粉側回収槽を、大型化した、マルチユニット用多槽型ケーシングに、２台の二重管型双方向篩過分級ユニットを、装着したマルチユニット型双方向篩過分級装置である。
【発明の効果】
【００１４】
本発明によって次に列挙の効果が得られる。 
外部に設置した篩分け・分級後の粉体回収容器に接続した吸引ポンプ、あるいは、外部の紛体・溶媒・液体・気体供給配管の延長線上に設置した加圧ポンプを稼動し、粗粉側供給弁、微粉側回収弁（シングルユニット型双方向篩過分級装置、およびマルチユニット型双方向篩過分級装置の場合は、粗粉側供給槽弁、微粉側回収槽弁）を、解放する事により、粗粉側供給管先端から、粉体、あるいは粉体を含む溶媒・気体は、粗粉側チャンバー内に、供給されるとともに、分級スクリーンに向けた、振動波照射により、粉体の分級スクリーンへの付着、分級スクリーンの目詰まりが、低減された状態で、分級スクリーンの目開きより微細な微粉は、微粉側チャンバーに、移動し、外部微粉回収容器に回収される。
又、粗粉側チャンバー内で、粗粉側供給管先端に、拡散型スプレーノズルを装着した双方向篩過分級装置の場合は、粉体・溶媒・気体の噴射が、拡散されることにより、粉体が分級スクリーンの特定の部位に、連続的に噴出される事態は発生せず、粉体の分級スクリーンへの付着、分級スクリーンの目詰まりは、さらに低減されるとともに、付着粉体の分級スクリーンからの剥離効果も期待できる。
【００１５】
所定の稼働時間経過後、粗粉側供給弁および微粉側回収弁（シングルユニット型双方向篩過分級装置、およびマルチユニット型双方向篩過分級装置の場合は、粗粉側供給槽弁および微粉側回収槽弁）を、閉じ、洗浄・排出用液体・気体の微粉側洗浄弁、粗粉側洗浄弁、および粗粉側回収弁（シングルユニット型双方向篩過分級装置、およびマルチユニット型双方向篩過分級装置の場合は、微粉側洗浄槽弁、粗粉側洗浄槽弁、および粗粉側回収槽弁）を開く事により、分級スクリーンを篩過出来ず粗粉側チャンバー内に貯留した粗粉は、洗浄・排出用液体・気体とともに、外部粗粉回収容器に移動、回収される。
すなわち、外部設置のポンプにより発生する加圧・減圧、および、各種供給弁、回収弁、洗浄弁の開閉を制御する事により、「原料粉体・溶媒・気体の供給」、「粉体の分級」、「分級後の微粉・粗粉の回収」、「分級網・スクリーンの洗浄、付着・目詰まり粉体の除去、排出」、というパターンの粉体・溶媒・液体・気流のフローを、発生させ、その制御を、コンピューター・プログラム化する事により、供給・分級・回収・洗浄・排出という一連の作業プロセスの、連続・効率的分級方式・システム化の実現が可能となる。
【００１６】
さらに、二重管構造の、粗粉側内環供給管、粗粉側外環洗浄管、微粉側外環洗浄管、粗粉側内環供給管を使用した複数セットの、二重管型双方向篩過型分級ユニットを、マルチユニット用多槽型ケーシング、ないし複数のチューブに装着し、マルチユニット型双方向篩過型分級装置、マルチユニットチューブ型双方向篩過分級装置と、する事により、微細粉体篩分け・分級の生産性の向上、大量処理が、可能となる。
【００１７】
本発明の篩分け・分級装置は、双方向からの分級スクリーンの篩過が可能であり、これにより、装置の、振動発振子側からの篩過、逆方向の振動発振子側への篩過、あるいは、分級装置を、垂直に設置、すなわち分級スクリーンを水平にし、スクリーンの上部から下部、下部から上部への篩過と、複数の篩分け・分級手法の適用を可能としており、紛体の特性、溶媒・気体の状況にあわせ、最適な篩分け・分級手法の適用が可能となる。
【図面の簡単な説明】
【００１８】
【図１】スクリーンを垂直に設置した場合の、本発明に係る、垂直スクリーン式固定型双方向篩過分級装置の縦断面図である。
【図２】二重型供給管・回収管・洗浄管を採用し、粗粉側供給管の先端にスプレーノズルを採用し、垂直に分級スクリーンを設置した二重管式双方向篩過分級ユニットである。
【図３】図２で示した二重管式双方向篩過分級ユニット、１セットを、多槽型ケーシングに装着した、シングルユニット多層型双方向篩過分級装置である。
【図４】図２で示した二重管式双方向篩過分級ユニット、２セットを、マルチユニット用多槽型ケーシングに装着した、マルチユニット多層型双方向篩過分級装置である。
【図５】図１の垂直スクリーン式固定型双方向篩過分級装置から、供給弁、回収弁、洗浄弁を、取りはずした、垂直スクリーン式双方向篩過分級ユニットである。
【図６】図５の垂直スクリーン式双方向篩過分級ユニット、２セットを、粗粉側供給チューブ、微粉側回収チューブ、粗粉側回収チューブ、微粉側洗浄チューブ、粗粉側洗浄チューブに組込んだ、マルチユニットチューブ型双方向篩過分級装置である。
【図７】図３のシングルユニット多層型双方向篩過分級装置を、振動発生器を上部側にし、垂直に設置して、使用する場合の、上部発振シングルユニット多層型双方向篩過分級装置である。
【図８】図３のグルユニット多層型双方向篩過分級装置を、振動発生器を下部側にし、垂直に設置して、使用する場合の、下部発振シングルユニット多層型双方向篩過分級装置である。
【発明を実施するための形態】
【００１９】
次に本発明の実施例を図１から図８に、基づいて説明する。  但し、本発明はこれに限定されるものではない。
【００２０】
図１は、本発明に係る垂直スクリーン式固定型双方向篩分級装置１の縦断面図である。  
本分級装置は、粗粉側チャンバー２、微粉側チャンバー３、金属あるいは樹脂枠等で所定の目開きの分級スクリーン５を垂直に保持した分級スクリーンセット４、振動発振子８を有する振動発生器７、の主要構成品から構成され、分級スクリーンセット４を、粗粉側チャンバー２、微粉側チャンバー３で、挟み込む形で、チャンバー連結継手６により、水平・直列に固定連結されている。  なお、分級スクリーン５は、所定の傾斜角で設置する事も、可能である。
【００２１】
微粉側チャンバー３の、外側壁面には、中心部に振動発振子８が接続された振動発生装置７が、装備されており、上部には、微粉側洗浄弁１７を有する微粉側洗浄管１２が装備され、粗粉側チャンバー２の内部、微粉側チャンバー３の内部、および分級スクリーン５の、洗浄・粉体排出用、外部洗浄液ないし気体源に接続されている。  下部には、微粉側回収弁１５を有する微粉側回収管１０が、装備されており、外部の吸引ポンプに接続された微粉回収容器に、連結されている。
【００２２】
粗粉側チャンバー２の、外側壁面には、中心部に粗粉側供給弁１４を有する粗粉側供給管９が、装備され、上部には、粗粉側洗浄弁１８を有する粗粉側洗浄管１３が、装備され、粗粉側チャンバー２の内部、微粉側チャンバー３の内部、および分級スクリーン5の、洗浄・粉体排出用、外部洗浄液ないし気体源に接続されている。  下部には、粗粉側回収弁１６を有する粗粉側回収管１１が、装備されており、外部の、吸引ポンプに接続された粗粉回収容器に、連結されている。
【００２３】
図２の、二重管式双方向篩過分級ユニット１９は、図１で表示した垂直スクリーン式固定型双方向篩分級装置１の、粗粉側供給弁１４、微粉側回収弁１５、粗粉側回収弁１６、微粉側洗浄弁１７、粗粉側洗浄弁１８を、除去し、粗粉側供給管９、粗粉側洗浄管１３に、二重管構造を採用し、粗粉側内環供給管２０、粗粉側外環洗浄管２３に置き換え、微粉側洗浄管１２に、二重管構造を採用し、微粉側内環供給管２４、微粉側外環洗浄管２２に置き換え、微粉側内環供給管２４の内部に、振動発振子２７を、装着し、粗粉側内環供給管２０の先端に、スプレーノズル２１を装備したものである。  又、微粉側回収管１０、粗粉側回収管１１を、除去し、微粉側回収口２５、粗粉側回収口２６とした構造である。
【００２４】
図３は、図２の二重管式双方向篩過分級ユニット１９、１セット（図４では、３０）を、シングルユニット用多槽型ケーシング２９に装着した、シングルユニット多層型双方向篩過分級装置２８である。 
シングルユニット用多槽型ケーシング２９は、粗粉側供給槽弁３９を有し、粗粉側内環供給管４５が接続された、原料（粉体・溶媒）供給用の、粗粉側供給槽３８と、粗粉側洗浄槽弁４３を有し、粗粉側外環洗浄管４６が接続された、洗浄・排出用液体ないし気体供給の、粗粉側洗浄槽３６と、粗粉側回収槽弁４１を有し、分級処理後の粗粉・混濁液・洗浄液用粗粉側回収口４７に接続連結された、粗粉側回収槽３４から、構成される粗粉側ハウジング３１と、微粉側供給槽弁４４を有し、微粉側内環供給管４８が接続された、原料（粉体・溶媒）供給用の、微粉側供給槽３７と、微粉側洗浄槽弁４２を有し、粗粉側外環洗浄管４９が接続された、洗浄・排出用液体ないし気体供給の、微粉側洗浄槽３５と、微粉側回収槽弁４０を有し、分級処理後の微粉・混濁液・洗浄液用微粉側回収口５０に接続連結された、微粉側回収槽３３から、構成される微粉側ハウジング３２を、結合した、二重管式双方向篩過分級ユニット３０の格納容器である。
【００２５】
図４は、図２で示した、二重管式双方向篩過分級ユニット１９、２セット（図４では、５９、６０）を、マルチユニット用多槽型ケーシング５８に装着し、分級処理量を、増加させた、マルチユニット多層型双方向篩過分級装置５７である。
【００２６】
図５は、図１の垂直スクリーン式固定型双方向篩分級装置１から、粗粉側供給弁１４、微粉側回収弁１５、粗粉側回収弁１６、微粉側洗浄弁１７、粗粉側洗浄弁１８を取り外した、垂直スクリーン式双方向篩過分級ユニット６１である。
【００２７】
図６は、粗粉側供給チューブ弁７０を有する粗粉側供給チューブ６５と、微粉側回収チューブ弁７１を有する微粉側回収チューブ６６と、粗粉側回収チューブ弁７２を有する粗粉側回収チューブ６７と、微粉側洗浄チューブ弁７３を有する微粉側洗浄チューブ６８と、粗粉側洗浄チューブ弁７４を有する粗粉側洗浄チューブ６９に、図５で示した垂直スクリーン式双方向篩過分級ユニット６１、２セット（図６では６３、６４）を、装着し、分級処理量を増加させた、マルチユニットチューブ型双方向篩過分級装置６２である。
【００２８】
図７は、図３のシングルユニット多層型双方向篩過分級装置２８を、振動発振子７６を上部側にし、垂直に設置した、上部発振シングルユニット多層型双方向篩過分級装置７５である。
【００２９】
図８は、図３のシングルユニット多層型双方向篩過分級装置２８を、振動発振子７８を下部側にし、垂直に設置した、下部発振シングルユニット多層型双方向篩過分級装置７７である。
【００３０】
次に動作について説明する。  垂直スクリーン式固定型双方向篩過分級装置１において、外部に設置した篩分け・分級後の粉体回収容器に接続した吸引ポンプを稼動し、粗粉側供給弁１４、微粉側回収弁１５を開く事により、外部より、粗粉側供給管９経由、分級対象の粉体・混濁液の供給が開始されるとともに、振動発生器７を、作動させ、振動発振子８より、振動を分級スクリーン５に照射させる。  これにより、粉体・溶媒は、矢印Ａから、噴射され、粗粉側チャンバー２に、流入する。  粉体のうち、分級スクリーン５の孔径より微細な粉体は、分級スクリーン５を篩過（矢印Ｂ）し、矢印Ｃにて、微粉側回収管１０に流入し、矢印Ｄ経由、外部微粉回収容器に、回収される。
一方、分級スクリーン５の孔径より、粗い粉体は、分級スクリーン５で、遮断され（矢印Ｅ）、粗粉側チャンバー２内に残留・蓄積される。
【００３１】
所定の運転設定時間が経過し、粗粉の、粗粉側シリンダー２への蓄積、或いは、分級スクリーン５への付着が進行し、分級効率低減が始まる時点で、粗粉側供給弁１４、微粉側回収弁１５を閉じるとともに、微粉側洗浄弁１７、粗粉側洗浄弁１８、および粗粉側回収弁１６を開く事により、外部からの洗浄・排出用液体ないし気体を、微粉側洗浄管１２あるいは粗粉側洗浄管１３経由導入し、矢印ア、イ、ウ、エ、オ、カのフロー、あるいは矢印キ、ク、ケのフローを、発生させ、分級スクリーン５、微粉側チャンバー３、および粗粉側チャンバー２内部の洗浄、および粗粉側チャンバー２に残留・蓄積された粗粉の、外部粗粉回収容器への移送・排出プロセス矢印Ｆ、Ｇが開始される。なお、前述の排出用気体は、空気或いは、材料に適した窒素等の気体を使用する事となる。
【００３２】
粗粉の回収が終了した時点で、微粉側洗浄弁１７、粗粉側洗浄弁１８、および粗粉側回収弁１６を、閉鎖する事により、一連の、粉体・溶媒・気体の供給、分級、回収、洗浄・排出のプロセスが、終わり、改めて、粗粉側供給弁１４、微粉側回収弁１５を、開く事により、供給、分級、回収、洗浄・排出のプロセスが、再び開始される事となる。
【００３３】
なお、前記の粗粉側供給弁１４、微粉側回収弁１５、微粉側洗浄弁１７、粗粉側洗浄弁１８、粗粉側回収弁１６の、最適な開閉切替時間、原料粉体・溶媒の供給量、あるいは吸引ポンプの吸引量、圧力等は、対象原料の粒径、物性等を考慮の上、事前の実験により、決定される。
【００３４】
又、図３で示したシングルユニット多層型双方向篩過分級装置２８の場合は、外部に設置した篩分け・分級後の粉体回収容器に接続した吸引ポンプを稼動し、粗粉側供給槽弁３９、微粉側回収槽弁４０を開く事により、粗粉側供給槽３８経由、分級対象の粉体・混濁液の供給が開始されるとともに、振動発生器５１を作動させ、振動発振子５２より、振動を分級スクリーン５３に照射させることにより、矢印Ｈ、Ｉ、Ｊ、Ｋ、Ｌ、Ｍのフローが発生、これにより粉体・溶媒は、分級処理がなされ、微粉は、外部の微粉回収容器に回収される。一方、分級スクリーン５３の孔径より、粗い粉体は、分級スクリーン５３で、遮断され（矢印Ｎ）、粗粉側チャンバー５５内に残留・蓄積される。
【００３５】
所定の運転設定時間が経過し、粗粉の、粗粉側チャンバー５５への蓄積、或いは、分級スクリーン５３への付着が進行し、分級効率が低減した段階で、粗粉側供給槽弁３９、微粉側回収槽弁４０を閉じるとともに、微粉側洗浄槽弁４２、粗粉側洗浄槽弁４３、および粗粉側回収槽弁４１を開く事により、外部からの洗浄・排出用液体ないし気体が、微粉側チャンバー５４および粗粉側チャンバー５５に、導入され、矢印コ、サ、シ、ス、セ、ソのフロー、および矢印タ、チ、ツ、セ、ソのフローが、発生、分級スクリーン５３、および、微粉側チャンバー５４、粗粉側チャンバー５５内部の洗浄、および粗粉側チャンバー５５に残留・蓄積された粗粉の、外部粗粉回収容器への移送・排出プロセス矢印Ｎ、Ｏ、Ｐが開始される。 
なお、振動発生器５２側から、粉体・混濁液の供給を行い、スプレーノズル５６側への篩過を行う場合は、Ｑ、Ｒ、Ｏ、Ｐの粉体・溶媒のフローを発生させ、微粉を回収し、洗浄・排出用液体ないし気体の、タ、チ、ツ、テ、ト、ハのフローにより、分級スクリーンを篩過出来ない粗粉を、巻き込みながら（矢印Ｌ、Ｍ）、回収される。
【産業上の利用可能性】
【００３６】
上記の発明は、乾式、湿式微細粉体分級装置として、より効率的、効果的な微細粉体分級に利用可能である。
【符号の説明】
【００３７】
１  垂直スクリーン式固定型双方向篩分級装置
２  粗粉側チャンバー
３  微粉側チャンバー
４  分級スクリーンセット
５  分級スクリーン
６  チャンバー連結継手
７  振動発生器
８  振動発振子
９  粗粉側供給管
１０  微粉側回収管
１１  粗粉側回収管
１２  微粉側洗浄管
１３  粗粉側洗浄管
１４  粗粉側供給弁
１５  微粉側回収弁
１６  粗粉側回収弁
１７  微粉側洗浄弁
１８  粗粉側洗浄弁
１９  二重管式双方向篩過分級ユニット
２０  粗粉側内環供給管
２１  スプレーノズル
２２  微粉側外環洗浄管
２３  粗粉側外環洗浄管
２４  微粉側内環供給管
２５  微粉側回収口
２６  粗粉側回収口
２７  振動発振子
２８  シングルユニット多層型双方向篩過分級装置
２９  シングルユニット用多槽型ケーシング
３０  二重管式双方向篩過分級ユニット
３１  シングルユニット用粗粉側ハウジング
３２  シングルユニット用微粉側ハウジング
３３  微粉側回収槽
３４  粗粉側回収槽
３５  微粉側洗浄槽
３６  粗粉側洗浄槽
３７  微粉側供給槽
３８  粗粉側供給槽
３９  粗粉側供給槽弁
４０  微粉側回収槽弁
４１  粗粉側回収槽弁
４２  微粉側洗浄槽弁
４３  粗粉側洗浄槽弁
４４  微粉側供給槽弁
４５  粗粉側内環供給管
４６  粗粉側外環洗浄管
４７  粗粉側回収口
４８  微粉側内環供給管
４９  微粉側外環洗浄管
５０  微粉側回収口
５１  振動発生器
５２  振動発振子
５３  分級スクリーン
５４  微粉側チャンバー
５５  粗粉側チャンバー
５６  スプレーノズル
５７  マルチユニット多層型双方向篩過分級装置
５８  マルチユニット用多槽型ケーシング
５９  二重管式双方向篩過分級ユニット
６０  二重管式双方向篩過分級ユニット
６１  垂直スクリーン式双方向篩過分級ユニット
６２  マルチユニットチューブ型双方向篩過分級装置
６３  垂直スクリーン式双方向篩過分級ユニット
６４  垂直スクリーン式双方向篩過分級ユニット
６５  粗粉側供給チューブ
６６  微粉側回収チューブ
６７  粗粉側回収チューブ
６８  微粉側洗浄チューブ
６９  粗粉側洗浄チューブ
７０  粗粉側供給チューブ弁
７１  微粉側回収チューブ弁
７２  粗粉側回収チューブ弁
７３  微粉側洗浄チューブ弁
７４  粗粉側洗浄チューブ弁
７５  上部発振シングルユニット多層型双方向篩過分級装置
７６  振動発振子
７７  下部発振シングルユニット多層型双方向篩過分級装置
７８  振動発振子
Ａ  −  Ｇ  紛体・溶媒フロー矢印（垂直スクリーン式固定型双方向篩分級装置内）
Ｈ  −  Ｒ  紛体・溶媒フロー矢印（シングルユニット多層型双方向篩過分級装置内）
ア  −  ケ  洗浄・排出用液体ないし気体フロー矢印（垂直スクリーン式固定型双方向篩分級装置内）
コ  −  ハ  洗浄・排出用液体ないし気体フロー矢印（シングルユニット多層型双方向篩過分級装置内）
【図１】
2015211950.tif 000003
【図２】
2015211950.tif 000004
【図３】
2015211950.tif 000005
【図４】
2015211950.tif 000006
【図５】
2015211950.tif 000007
【図６】
2015211950.tif 000008
【図７】
2015211950.tif 000009
【図８】
2015211950.tif 000010